(57)【特許請求の範囲】
【請求項１】
空の袋体を施工現場に置き、
前記袋体は腰がなく、前記袋体は自重で下方へたるんで立設した状態に保持できないものであり、
その後、自重で下方へたるんだ前記袋体の開口部を介して礫又は砂又は礫と砂の混合体の充填材が充填された充填体を１個又は複数個前記袋体内に個別化して置いて、複数個の前記充填体を全体に亘って並設して前記袋体に充填し、
充填後、前記袋体の開口部を閉じるようにして土木用包装体を形成して施工する
ことを特徴とする土木用包装体の施工方法。
【請求項２】
施工現場が水中又は海中の場合、空の袋体の移動を拘束して、前記袋体内に充填体を充填する
ことを特徴とする請求項１記載の土木用包装体の施工方法。
【請求項３】
空の袋体を連結具を介して連結して並設し、並設後、前記袋体内に充填体を充填する
ことを特徴とする請求項１又は請求項２記載の土木用包装体の施工方法。
【発明の詳細な説明】
【技術分野】
【０００１】
本発明は、土木用包装体の施工方法に係り、特に、作業がし易いと共に、作業の危険防止をも図ることができる土木用包装体の施工方法に関する。
【背景技術】
【０００２】
本件発明者は、先に、砂地等の河川や海岸に付設させる堤体などの構造物の下方から砂等が吸い出されて該構造物が崩壊するのを防止するための土木用包装体を開示した。
この土木用包装体にあっては、空の土木用包装体内に充填材を充填した後、充填材を充填した土木用包装体そのものを吊り上げ、施工現場に置くようにして施工している（特許文献１参照）。
【先行技術文献】
【特許文献】
【０００３】
【特許文献１】特開２０１０−９０６４３号公報（図６）
【０００４】
この充填材を充填した土木用包装体は、例えば、重さ１６トンと高重量となるため、作業がしにくいと共に、作業に危険性が伴うという問題点が生じた。
【発明の概要】
【発明が解決しようとする課題】
【０００５】
本発明は、上記実情を考慮してなされたもので、作業がし易いと共に、作業の危険防止をも図ることができる土木用包装体の施工方法を提供することを目的とする。
【課題を解決するための手段】
【０００６】
請求項１記載の土木用包装体の施工方法は、空の袋体を施工現場に置き、前記袋体は腰がなく、前記袋体は自重で下方へたるんで立設した状態に保持できないものであり、その後、自重で下方へたるんだ前記袋体の開口部を介して礫又は砂又は礫と砂の混合体の充填材が充填された充填体を１個又は複数個前記袋体内に個別化して置いて、複数個の前記充填体を全体に亘って並設して前記袋体に充填し、充填後、前記袋体の開口部を閉じるようにして土木用包装体を形成して施工するするものである。
【０００７】
また、請求項２記載の土木用包装体の施工方法は、請求項１記載の土木用包装体の施工方法において、施工現場が水中又は海中の場合、空の袋体の移動を拘束して、前記袋体内に充填体を充填するものである。
【０００８】
また、請求項３記載の土木用包装体の施工方法は、請求項１又は請求項２記載の土木用包装体の施工方法において、空の袋体を連結具を介して連結して並設し、並設後、前記袋体内に充填体を充填するものである。
【発明の効果】
【０００９】
請求項１記載の土木用包装体の施工方法によれば、礫又は砂又は礫と砂の混合体の充填材が充填され充填体（例えば、１トン）を１個又は複数個袋体内に置くように個別化して充填体を袋体内に充填（例えば、充填体を２０個〜４０個・・・重さ２０トン〜４０トン）するため、充填体が充填された袋体を一度に施工現場で施工するものに比べ、袋体内の充填作業が軽量な分、作業がし易いと共に、作業の危険防止をも図ることができる。
【００１０】
施工現場が水中又は海中の場合、空の袋体を施工現場に置いただけでは、空の袋体が水流又は海流により移動してしまい、施工しづらい不具合を生じるが、請求項２記載の土木用包装体の施工方法によれば、上述した請求項１記載の発明の効果に加え、施工現場が水中又は海中の場合、空の袋体の移動を拘束して、前記袋体内に充填体を充填するため、上述した不具合を防止することができる。
【００１１】
充填体を充填した袋体同士を連結具を介して連結する場合、充填体を充填した袋体が重い分、作業がしにくい不具合を生じるが、請求項３記載の土木用包装体の施工方法によれば、上述した請求項１又は請求項２記載の発明の効果に加え、空の袋体を連結具を介して連結して並設し、並設後、前記袋体内に充填体を充填するため、上述した不具合を防止することができる。
【図面の簡単な説明】
【００１２】
【図１】図１は、本発明の一実施例の土木用包装体の施工方法の一工程である空の袋体を施工現場に置いた状態を示す概略的斜視図である。
【図２】図２は、図１のＡ方向から見た概略的一部拡大斜視図である。
【図３】図３は、図１の空の袋体に充填体を載置していく状態の概略的断面図である。
【図４】図４は、図３の袋体に充填体を充填し、袋体の開口部を閉める前の状態の概略的断面図である。
【図５】図５は、図４の袋体の開口部を閉めた状態の概略的斜視図である。
【図６】図６は、図１の袋体を施工現場に並設した状態を示す概略的斜視図である。
【図７】図７は、図６の袋体を施工現場に並設し、完成した状態を示す概略的斜視図である。
【図８】図８は、図７の概略的断面図である。
【図９】図９は、図７の一部を拡大して示す概略的一部拡大斜視図である。
【図１０】図１０は、図９の隣接する袋体と袋体との連結前の状態を示す概略的一部拡大斜視図である。
【図１１】図１１は、本発明の一実施例の土木用包装体の施工方法の一工程である空の袋体を海中の施工現場に置いて充填体を載置していく状態を示す概略的斜視図である。
【図１２】図１２は、図１１の施工現場に充填体を載置し、完成した状態を示す概略的断面図である。
【図１３】図１３は、図６と異なる他の実施例を示す概略的斜視図である。
【図１４】図１４は、図１３の一部を拡大して示す概略的一部拡大斜視図である。
【発明を実施するための形態】
【００１３】
本発明の一実施例の土木用包装体の施工方法を参照して説明する。
図１に示す１は、河川、海岸に敷設され、特に、津波、高潮、波浪、海岸侵食などから背後地を守る土木用包装体である。土木用包装体1は、網材で形成され、該網材の材料は、強さ、伸び、耐剪断性に優れていれば良く、例えば、ポリエステル、ナイロン、ビニロン、ポリエチレン、ポリプロピレン、ポリアラミド、炭素繊維、生分解性繊維等により形成されている。                                       
土木用包装体１は、袋体１０と、この袋体１０内に収納される複数の充填体２０とから、概略的に構成され、土木用包装体１は、例えば、ポリエステル繊維の１０ｍｍ目のネットで構成された幅×長さ×高さ＝２ｍ×１０ｍ×１ｍ のものである。
なお、土木用包装体１は、施工現場Ｇが地上の場合、透水性、非透水性を問わないが、水中又は海中の場合、土木用包装体１内を水又は海水が通過できる透水性のものが良い。
【００１４】
袋体１０は、例えば、不透水の樹脂製のシートで形成され、開口部１０ａを有し、開口部１０ａは蓋体１０ｂにより覆うようになっている。蓋体１０ｂは、ファスナー１０ｃにより開口部１０ａを開閉自在となっている。
また、充填体２０は、礫又は砂又は礫と砂の混合体の充填材が充填されるもので、例えば、充填体２０の１個の重さは、例えば、１トンで、土木用包装体１内に収納される充填体２０は、例えば、２０〜４０個である。
【００１５】
次に、土木用包装体の施工方法について、以下説明する。
先ず、図１に示すように、空の袋体１０を施工現場Ｇに置き、その後、図３に示すように、袋体１０の開口部１０ａを介して礫又は砂又は礫と砂の混合体の充填材が充填され充填体２０を１個又は複数個袋体１０内に置いて、充填体２０を袋体１０に充填する。
充填後、図４及び図５に示すように、袋体１０の開口部１０ａを閉じるようにして土木用包装体１を形成して施工する。
なお、地上の施工現場Ｇの袋体１０、充填体２０の設置は、図示しないバックホーを使用して行う。
【００１６】
従って、上述した土木用包装体の施工方法によれば、礫又は砂又は礫と砂の混合体の充填材が充填され充填体２０（例えば、１トン）を１個又は複数個袋体１０内に置くように個別化して充填体２０を袋体１０内に充填（例えば、充填体を２０個〜４０個・・・重さ２０トン〜４０トン）するため、充填体２０が充填された袋体１０を一度に施工現場で施工するものに比べ、袋体１０内の充填作業が軽量な分、作業がし易いと共に、作業の危険防止をも図ることができる。
【００１７】
なお、施工現場においては、図６に示すように、空の袋体１０を並設し、並設後、袋体１０内に充填体２０を充填していく。なお、望ましくは、空の袋体１０を連結具３０を介して連結して並設し、並設後、袋体１０内に充填体２０を充填する（図７乃至図１０参照）。
これは、充填体２０を充填した袋体１０同士を連結具３０を介して連結する場合、充填体２０を充填した袋体１０が重い分、作業がしにくい不具合を生じるが、この実施例の土木用包装体の施工方法によれば、空の袋体１０を連結具３０を介して連結して並設し、並設後、袋体１０内に充填体２０を充填するため、上述した不具合を防止することができる。
【００１８】
なお、施工現場Ｇが水中又は海中の場合、空の袋体１０を施工現場Ｇに置いただけでは、空の袋体１０が水流又は海流により移動してしまい、施工しづらい不具合を生じるが、次に述べる実施例にあっては、施工現場Ｇが水中又は海中の場合、空の袋体１０の移動を拘束して、袋体１０内に充填体２０を充填するようにしている（図１１及び図１２参照）。
空の袋体１０の移動を拘束する手段として、例えば、図１１に示す錘４０を各袋体１０のそれぞれの四隅に設置していく。
なお、海中への袋体１０、充填体２０の設置は、図示しない台船のクレーンを使用して行う。また、本実施例（図１１及び図１２）にあっては、上述した実施例（図１乃至図１０）と同一部分に同一符号を付して、説明を一部省略している。
【００１９】
なお、上述した実施例においては、袋体１０は腰がないため、図１に示すように、袋体１０を立設した状態に保持できず、開口部１０ａをファスナー１０ｃにより閉じにくい不具合を生じる。
この場合、袋体１０を持ち上げて、図１３及び図１４に示すように、充填体２０と袋体１０を連結具Ｒ（例えば、紐で充填体２０と袋体１０を連結する。）で連結し、袋体１０を立設した状態に保持することができる。
なお、連結具Ｒの位置は、図１３及び図１４に示すように、開口部１０ａに近い側で、袋体１０を立設した状態に保持して、ファスナー１０ｃにより開口部１０ａを蓋体１０ｂにより閉じ易くすることができる。
なお、連結具Ｒは、紐に限らず、図示しないが、図１３及び図１４に示す紐に変えて、充填体２０の図１３及び図１４の紐の取り付け部位に第１の面状ファスナー、袋体１０の図１３及び図１４の紐の取り付け部位に第２の面状ファスナーをそれぞれ設け、第１の面状ファスナーと第２の面状ファスナーを係止させて、充填体２０と袋体１０を連結して、袋体１０を立設状態に保持するようにしても良い。
【符号の説明】
【００２０】
１        土木用包装体
１０      袋体
１０ａ    開口部
２０      充填体
【図１】
0005763005.tif 000002
【図２】
0005763005.tif 000003
【図３】
0005763005.tif 000004
【図４】
0005763005.tif 000005
【図５】
0005763005.tif 000006
【図６】
0005763005.tif 000007
【図７】
0005763005.tif 000008
【図８】
0005763005.tif 000009
【図９】
0005763005.tif 000010
【図１０】
0005763005.tif 000011
【図１１】
0005763005.tif 000012
【図１２】
0005763005.tif 000013
【図１３】
0005763005.tif 000014
【図１４】
0005763005.tif 000015